(57)【要約】【課題】  折り畳みが可能で、大きさや形の違う蔓植物栽培用ネットを簡単に製造でき、しかも、蔓植物が巻き付き易く、設置場所を選ばず、景観のよい蔓植物栽培用ネットを提供する。【解決手段】  隣り合う端部を連結するようにして平面状に配置された多数の筒状物１１を、筒状物１１を挿通する紐１２で連結して、網状物１３を形成している。網状物１３は、矩形に形成され、少なくとも４隅に連結紐１６を設けることも、また、網状物を蜘蛛の巣状に形成し、その張設方向に連結紐を取付けることもできる。【選択図】        図１
0003112537.tif 000002
【実用新案登録請求の範囲】
【請求項１】
隣り合う端部を連結するようにして平面状に配置された多数の筒状物を、該筒状物を挿通する紐で連結して、網状物を形成したことを特徴とする蔓植物栽培用ネット。
【請求項２】
請求項１記載の蔓植物栽培用ネットにおいて、前記網状物が矩形に形成され、少なくとも４隅に連結紐が設けられていることを特徴とする蔓植物栽培用ネット。
【請求項３】
請求項１記載の蔓植物栽培用ネットにおいて、前記網状物が蜘蛛の巣状に形成され、その張設方向に連結紐が取付けられていることを特徴とする蔓植物栽培用ネット。
【請求項４】
請求項２及び３のいずれか１項に記載の蔓植物栽培用ネットにおいて、前記連結紐が、伸縮性を有する支柱に取付けられていることを特徴とする蔓植物栽培用ネット。
【請求項５】
請求項１〜４のいずれか１項に記載の蔓植物栽培用ネットにおいて、前記筒状物が竹筒であって、前記紐が天然繊維で形成されていることを特徴とする蔓植物栽培用ネット。
【考案の詳細な説明】
【技術分野】
【０００１】
本考案は、蔓植物を這わせて栽培する蔓植物栽培用ネットに関する。
【背景技術】
【０００２】
従来、蔓植物は、草本又は低木で茎が蔓状をなすものであって、長く地表を這い、あるいは、かぎ、巻ひげ、又は葉柄などで他の樹木などにからんで成長する。通常、蔓植物を栽培する場合には、植物の繊維で形成した紐、合成繊維で形成した紐、金属製の線材、木製の板材、又は木製の棒材等で形成した１辺の長さが１０〜３０ｃｍ程度の矩形状の網目を備えた蔓植物栽培用ネットに蔓を這わせている（例えば、特許文献１及び２参照）。
【０００３】
【特許文献１】特開平１０−２６２４６８号公報
【特許文献２】特開平８−１１２０３９号公報
【考案の開示】
【考案が解決しようとする課題】
【０００４】
しかしながら、特許文献１のように合成繊維製の紐で蔓植物栽培用ネットを形成した場合には、景観が悪いという問題があった。また、特許文献２のように、金属製の線材で蔓植物栽培用ネットを形成した場合には、蔓植物栽培用ネットを折り畳むことができないので、サイズの大きい蔓植物栽培用ネットを購入した際に、車等に載せて持ち帰り難く、また、使用しないときに場所を取るという問題があった。更に、特許文献２の金属製の蔓植物栽培用ネットは、変形させ難いので、設置場所に合わせて複数のサイズの蔓植物栽培用ネットを製造しなければならないという問題もあった。
【０００５】
本考案はかかる事情に鑑みてなされたもので、折り畳みが可能で、大きさや形の違う蔓植物栽培用ネットを簡単に製造でき、しかも、蔓植物が巻き付き易く、設置場所を選ばず、景観のよい蔓植物栽培用ネットを提供することを目的とする。
【課題を解決するための手段】
【０００６】
前記目的に沿う本考案に係る蔓植物栽培用ネットは、隣り合う端部を連結するようにして平面状に配置された多数の筒状物を、該筒状物を挿通する紐で連結して、網状物を形成した。
栽培される蔓植物としては、朝顔、スイートピー、クレマチス、トマト、ナス、メロン、瓢箪、ヘチマ、インゲン、エンドウ、キュウリ、カボチャ、スイカ、ヤマイモ、又はゴーヤ等の草本又は低木で茎が蔓状をなすものがある。
筒状物としては、竹、木、プラスチック、ＰＶＣ、鋼管、及びステンレスのいずれか１又は２以上で形成されたものが使用できる。筒状物は、栽培する植物に合わせて、長さを５〜５０ｃｍ程度、好ましくは１０〜３０ｃｍ程度に、また、外径を３〜２０ｍｍ程度、好ましくは５〜１５ｍｍ程度に形成する。なお、蔓植物栽培用ネットを屋外で使用する場合には、金属製の筒状物を使用すると熱をもつので好ましくない。
【０００７】
筒状物に挿通する紐としては、植物の繊維（例えば、麻、綿、カポック、ヤシ、い草、又は麦わら等）、動物の繊維（例えば、羊毛、やぎ毛、モヘア、カシミヤ、アルパカ、アンゴラ、キャメル、ビキューナ、絹、又は羽毛等）、再生繊維（例えば、レーヨン、キュプラ、カゼイン繊維、落花生タンパク繊維、とうもろこしタンパク繊維、大豆タンパク繊維、再生絹糸、アルギン繊維、キチン繊維、マンナン繊維、又はゴム繊維等）、無機繊維（例えば、金属繊維、炭素繊維、又はガラス繊維等）、半合成繊維（例えば、アセテート、トリアセテート、酸化アセテート、プロミックス、塩化ゴム、又は塩酸ゴム等）、及び合成繊維（例えば、ナイロン６、ナイロン６６、芳香族ナイロン、アラミド、ビニロン、ビニリデン、ポリ塩化ビニル、ポリエステル、アクリル、ポリエチレン、ポリプロピレン、ポリスチレン、ポリウレタン、ポリクラール、ポリアリレート、又はフッ素樹脂等）のいずれか１又は２以上から作製したものを使用することができる。
【０００８】
本考案に係る蔓植物栽培用ネットにおいて、前記網状物が矩形に形成され、少なくとも４隅に連結紐を設けることもできる。
本考案に係る蔓植物栽培用ネットにおいて、前記網状物が蜘蛛の巣状に形成され、その張設方向に連結紐を取付けることもできる。
ここで、矩形とは、正方形を含む直角四辺形であり、蜘蛛の巣状とは、中心部から放射状に配置される張設される縦糸と、中心部から所定の間隔を有して縦糸に張設される横糸とで形成される形状である。なお、連結紐は網状物を構成する紐と実質的に同じ物でもよいし、違う物を使用してもよい。
【０００９】
本考案に係る蔓植物栽培用ネットにおいて、前記連結紐を伸縮性を有する支柱に取付けることもできる。
伸縮性を有する支柱は、特に、ベランダ等において、支柱の一端部を地面又は床に設置し、他端部を天井に配置して使用する他、支柱が倒れないように地面に一端を固定して、支柱を伸ばしてもよい。
本考案に係る蔓植物栽培用ネットにおいて、前記筒状物が竹筒であって、前記紐が天然繊維で形成されるのが好ましい。
竹筒としては、孟宗竹、真竹、ナリヒラダケ、トウチク、シホウチク、ホウライチク、及びオカメザサ等のいずれか１又は２以上が使用できるが、栽培する植物に合わせた外径のものを使用するのが好ましい。また、天然繊維としては、前記した植物の繊維及び動物の繊維のいずれか一方又は双方が使用できる。
【考案の効果】
【００１０】
請求項１〜５に記載の蔓植物栽培用ネットにおいては、隣り合う端部を連結するようにして平面状に配置された多数の筒状物を、筒状物を挿通する紐で連結して、網状物を形成したので、筒状物間で折り畳みが可能である。また、筒状物の数やその長さを変えて、大きさや形の違う蔓植物栽培用ネットを簡単に製造できると共に、設置場所を選ばない。しかも、栽培する蔓植物に合わせて所定の太さの筒状物を用いるので、蔓植物が巻き付き易くなると共に、景観がよくなる。
特に、請求項２記載の蔓植物栽培用ネットにおいては、網状物が矩形に形成され、少なくとも４隅に連結紐が設けられているので、蔓植物栽培用ネットを設置し易い。
【００１１】
請求項３記載の蔓植物栽培用ネットにおいては、網状物が蜘蛛の巣状に形成され、その張設方向に連結紐が取付けられているので、デザイン性に優れると共に、蔓植物栽培用ネットを設置し易い。
請求項４記載の蔓植物栽培用ネットにおいては、連結紐が伸縮性を有する支柱に取付けられているので、設置場所を選ばない。
請求項５記載の蔓植物栽培用ネットにおいては、筒状物が竹筒であって、紐が天然繊維で形成されているので、そのまま廃棄することができる。
【考案を実施するための最良の形態】
【００１２】
続いて、添付した図面を参照しつつ、本考案を具体化した実施の形態につき説明し、本考案の理解に供する。
ここで、図１は本考案の第１の実施の形態に係る蔓植物栽培用ネットの説明図、図２は同蔓植物栽培用ネットの部分拡大断面図、図３は同蔓植物栽培用ネットの変形例の説明図、図４は本考案の第２の実施の形態に係る蔓植物栽培用ネットの説明図、図５は同蔓植物栽培用ネットの変形例の説明図である。
【００１３】
図１及び図２を参照して、本考案の第１の実施の形態に係る蔓植物栽培用ネット１０について説明する。
蔓植物栽培用ネット１０は、節を刳り貫いた竹材で形成された多数の筒状物（竹筒）１１を、隣り合う端部を連結するようにして平面状に配置された多数の筒状物１１に、天然繊維である麻糸で形成された紐１２を挿通して連結し、矩形の網状物１３とし、網状物１３の４隅に麻糸で形成された連結紐１６を設けて製造されている。以下、詳しく説明する。
【００１４】
筒状物１１は、例えば、長さが５〜５０ｃｍ（本実施の形態では、１０ｃｍ）程度で、外径が３〜２０ｍｍ（本実施の形態では、１０ｍｍ）程度に形成され、その内径が６ｍｍ程度となっている。図１に示すように、例えば、６０本の筒状物１１を使用して、５本を長手方向に直線的に並べて１組とし、縦方向及び横方向にそれぞれ６組ずつ並べて格子状（碁盤の目のよう）に組み合わせる。この平面状に配置された筒状物１１に紐１２を挿通して、隣り合う筒状物１１の端部をそれぞれ連結して網状物１３を形成する。なお、縦方向及び横方向にそれぞれ配置する筒状物の本数は変えてもよい。
【００１５】
図２に示すように、紐１２は、網状物１３の外周に配置される筒状物１１を連結し、網状物１３の４隅で結ばれる４本の外周紐１４と、外周及び内側に配置される筒状物１１を連結する１本の内周紐１５とを有している。そして、外周紐１４を、内周紐１５よりも太い紐で形成することにより網状物１３の強度を高めている。なお、筒状物を連結する紐の数は、これに限定されることはなく、例えば、１本の紐で全ての筒状物を連結してもよいし、２本以上の紐で連結してもよい。また、筒状物１１への紐１２の挿通はどのような経路であってもよい。このようにして形成した網状物１３は、１辺がほぼ１０ｃｍの正方形の網目が縦及び横方向にそれぞれ５つ形成されて、縦が５０ｃｍ、横が５０ｃｍ程度の矩形（ほぼ正方形）となっている。更に、網状物１３の４隅に連結紐１６をそれぞれ取付けて蔓植物栽培用ネット１０が製造される。
【００１６】
次に、蔓植物栽培用ネット１０の設置方法について説明する。
例えば、蔓植物を栽培するプランター２０に用土２１を入れ、網状物１３の幅よりも広い間隔（例えば、６０ｃｍ程度）を有して円柱状の２本の支柱２２、２３を用土２１内に立設する。なお、各支柱２２、２３の基部及び先部には、網状物１３の高さ（縦方向の長さ）よりも広い間隔（例えば、６０ｃｍ程度）を有して、円周方向に切欠部２４がそれぞれ設けられている。立設する支柱２２、２３の切欠部２４に蔓植物栽培用ネット１０の対応する連結紐１６をそれぞれ結んで蔓植物栽培用ネット１０をプランター２０の上方に設置する。プランター２０の用土２１に蔓植物の苗（苗木）又は種等を植えて、蔓植物栽培用ネット１０に蔓を這わせて蔓植物を栽培する。
【００１７】
従来の蔓植物栽培用ネットは、網目を形成する紐の直径が０．５〜２．５ｍｍ程度であり、蔓植物の巻きが細くなり、成長阻害が起こっていたが、蔓植物栽培用ネット１０では、外径が１０ｍｍ（植物に合わせて３〜２０ｍｍ、好ましくは５〜１５ｍｍのものを使用できる）に形成された筒状物１１を用いているので、蔓植物の巻きが太くなり成長阻害が起こり難くなっている。また、蔓植物栽培用ネット１０は、折り畳みが可能で車等に載せて簡単に持ち運ぶことができ、大きさや形の違う蔓植物栽培用ネットを簡単に製造することもできる。更に、筒状物１１は竹筒であって、紐１２が天然繊維である麻糸で形成されているので、そのまま廃棄することができる。また、支柱２２、２３の内側に１又は２以上の支柱を設置し、内側の支柱とこれに接する筒状物１１とを紐で結んで補強してもよい。更に、植物の成長に合わせて、網状物１３に４隅の連結紐１６以外に連結紐を取付け、支柱２２、２３と連結し、蔓植物栽培用ネット１０を補強してもよい。
【００１８】
図３に示すように、栽培する植物の成長に合わせて、蔓植物栽培用ネット１０を上下方向に２枚配置して、蔓植物栽培用ネット１０よりも高さのある蔓植物栽培用ネット３０とすることもできる。ここで、各蔓植物栽培用ネット１０の連結紐１６は、長さ調整部３１をそれぞれ備えた伸縮性を有する支柱３２、３３に取付けられている。支柱３２、３３は、プランター２０を挟んでその外側にそれぞれ配置され、しかも、各支柱３２、３３の下端部はベランダ等の床面３４に、またその上端部は天井３５に接して設置されている。また、上側の蔓植物栽培用ネット１０の最下段の筒状物１１と、下側の蔓植物栽培用ネット１０の最上段の筒状物１１とを紐３６でそれぞれ連結し、上下の蔓植物栽培用ネット１０の近接する連結紐１６をそれぞれ結び、更にそれぞれ支柱３２、３３に取付けて、蔓植物栽培用ネット３０を補強している。
【００１９】
なお、蔓植物栽培用ネット３０では、２つの同一サイズの蔓植物栽培用ネット１０を上下に連続して並べたが、高さ（縦）方向の長さ（すなわち、筒状物の本数）が異なった蔓植物栽培用ネットを複数枚並べてもよい。また、蔓植物栽培用ネットを幅（横）方向に複数枚連続して並べて、連結紐で連結してもよい。この場合、隣り合う蔓植物栽培用ネットを支柱を介して連結して補強するのが好ましい。
【００２０】
図４を参照して、本考案の第２の実施の形態に係る蔓植物栽培用ネット４０について説明する。なお、蔓植物栽培用ネット１０、３０と同一の構成要素については同一の番号を付してその詳しい説明を省略する。
蔓植物栽培用ネット４０は、中心部から等間隔で放射状に張設される３本以上、例えば、８本の縦糸４１、及び中心部から所定の間隔を有して縦糸４１に張設されて実質的に正８角形となった複数本、例えば、２本の横糸４２、４３からなる蜘蛛の巣状に形成された紐４４を有している。また、蔓植物栽培用ネット４０は、縦糸４１及び横糸４２、４３によって形成される網目の大きさに合わせて形成され、縦糸４１が挿通される筒状物１１と、内側に配置されるの横糸４２が挿通され、筒状物１１よりも短い筒状物４５と、外側に配置される横糸４３が挿通され、筒状物１１よりも長い筒状物４６とを有している。
【００２１】
ここで、縦糸４１、横糸４２、４３、及び筒状物１１、４５、４６によって網状物４７が構成されている。更に、網状物４７の張設方向、すなわち、縦糸４１の端部に連結紐４８がそれぞれ取付けられ、網状物４７及び連結紐４８によって蔓植物栽培用ネット４０が形成されている。このように網状物４７を蜘蛛の巣状に形成することにより、デザイン性に優れた蔓植物栽培用ネット４０を製造することができる。
蔓植物栽培用ネット４０は、地面に下端部が埋設された３本の支柱４９〜５１に取付けられている。中央の支柱４９には、上下（垂直）方向に配置された連結紐４８が取付けられ、両側の支柱５０、５１には、斜め方向及び横（水平）方向に配置された連結紐４８が取付けられている。
【００２２】
図５に示すように、蔓植物栽培用ネット４０の変形例に係る蔓植物栽培用ネット６０は、中心部から等間隔で放射状に張設された６本の縦糸６１と、縦糸６１に中心部から所定の間隔を有して縦糸６１に張設されて６角形となった２本の横糸６２、６３とを備え、更に外側に配置された横糸６３の各辺の中心部と、縦糸６１及び内側に配置された横糸６２の交点とを繋ぐように、斜め糸６４が張設され、縦糸６１、横糸６２、６３、及び斜め糸６４によって構成される紐６５を有している。更に、蔓植物栽培用ネット６０は、縦糸６１、横糸６２、６３、及び斜め糸６４によって形成される実質的に正三角形の網目に筒状物１１がそれぞれ挿通されて網状物６６が形成され、更に網状物６６の張設方向、すなわち、各縦糸６１の外側端部に連結紐６７が取付けられている。このように、網状物６６と連結紐６７によって、蔓植物栽培用ネット６０が構成されている。
【００２３】
蔓植物栽培用ネット６０は、例えば、６角形の対向する１組の頂点が上下方向となるように配置、すなわち、１本の縦糸６１が垂直方向に配置されている。蔓植物栽培用ネット６０は、上部の連結紐６７がベランダ等の天井３５に所定の間隔でそれぞれ３つ設置されたリング状部材６８〜７０に取付けられ、下部の連結紐６７が床面３４に所定の間隔でそれぞれ３つ設置されたアンカー７１〜７３に取付けられている。
なお、蔓植物栽培用ネット６０を、例えば、６角形の対向する１組の頂点が横方向となるように配置、すなわち、１本の縦糸６１を水平方向に配置して、蔓植物栽培用ネット６０の両側に支柱を設置して、その支柱に連結紐６７を取付けてもよい。
【００２４】
本考案は、前記した実施の形態に限定されるものではなく、本考案の要旨を変更しない範囲での変更は可能であり、例えば、前記したそれぞれの実施の形態や変形例の一部又は全部を組み合わせて本考案の蔓植物栽培用ネットを構成する場合も本考案の権利範囲に含まれる。
例えば、前記実施の形態の蔓植物栽培用ネットにおいて、紐を麻糸で形成したが、麻以外の植物の繊維、動物の繊維、再生繊維、無機繊維、及び合成繊維のいずれか１又は２以上から作製したものも使用することができる。
【００２５】
また、筒状物として、節を刳り貫いた竹材を用いたが、木、プラスチック、ＰＶＣ、鋼管、又はステンレスで形成された筒状物も使用できる。筒状物は、栽培する植物に合わせて、長さを５〜５０ｃｍ程度、好ましくは１０〜３０ｃｍ程度に、また、外径を３〜２０ｍｍ程度、好ましくは５〜１５ｍｍ程度に形成することができる。また、蔓植物栽培用ネットは、網状物の全ての網目に筒状物を取付けたが、取付けていない箇所があってもよい。更に、蔓植物栽培用ネットをベランダの手摺り等の既存の支柱に取付けてもよい。また、矩形状及び蜘蛛の巣状のいずれか一方又は双方の蔓植物栽培用ネットを、高さ方向及び幅方向のいずれか一方又は双方に複数枚連続して並べて連結紐で連結してもよい。
【図面の簡単な説明】
【００２６】
【図１】本考案の第１の実施の形態に係る蔓植物栽培用ネットの説明図である。
【図２】同蔓植物栽培用ネットの部分拡大断面図である。
【図３】同蔓植物栽培用ネットの変形例の説明図である。
【図４】本考案の第２の実施の形態に係る蔓植物栽培用ネットの説明図である。
【図５】同蔓植物栽培用ネットの変形例の説明図である。
【符号の説明】
【００２７】
１０：蔓植物栽培用ネット、１１：筒状物、１２：紐、１３：網状物、１４：外周紐、１５：内周紐、１６：連結紐、２０：プランター、２１：用土、２２、２３：支柱、２４：切欠部、３０：蔓植物栽培用ネット、３１：長さ調整部、３２、３３：支柱、３４：床面、３５：天井、３６：紐、４０：蔓植物栽培用ネット、４１：縦糸、４２、４３：横糸、４４：紐、４５、４６：筒状物、４７：網状物、４８：連結紐、４９〜５１：支柱、６０：蔓植物栽培用ネット、６１：縦糸、６２、６３：横糸、６４：斜め糸、６５：紐、６６：網状物、６７：連結紐、６８〜７０：リング状部材、７１〜７３：アンカー
【図１】
0003112537.tif 000003
【図２】
0003112537.tif 000004
【図３】
0003112537.tif 000005
【図４】
0003112537.tif 000006
【図５】
0003112537.tif 000007